(57)【要約】    【課題】フロアマットのズレを確実に防止することができるファーストカーペット及びフロアマットのズレ防止構造を提供すること。【解決手段】裏面に多数のズレ防止用突起２５が設けられたフロアマット２１が載置されるファーストカーペット１１であって、カット形態のパイル１４ａと前記カット形態のパイル１４ａよりも低いループ形態のパイル１４ｂとが基布１２にタフトされており、前記ループ形態のパイル１４ｂがカット形態のパイル１４ａ間に埋没していることを特徴とする。  【選択図】  図３
2006014847.tif 000002
【特許請求の範囲】
【請求項１】
多数のズレ防止用突起を裏面に設けたフロアマットが載置されるファーストカーペットであって、カット形態のパイルと前記カット形態のパイルよりも低いループ形態のパイルとが基布にタフトされており、前記ループ形態のパイルがカット形態のパイル間に埋没していることを特徴とするファーストカーペット。
【請求項２】
ループ形態のパイルがカット形態のパイルに比べて細く強力な糸からなることを特徴とする請求項１記載のファーストカーペット。
【請求項３】
ループ形態のパイルを構成する糸がポリアミド、ポリエステル、ポリエチレン、ポリプロピレン、ポリビニルアルコール、及びポリアラミドから選ばれる１種若しくは２種以上の繊維群からなることを特徴とする請求項２記載のファーストカーペット。
【請求項４】
カット形態のパイルを構成する糸の繊度が１８００〜４０００デシテックスであるのに対し、ループ形態のパイルを構成する糸の繊度が７００〜１０００デシテックスであることを特徴とする請求項１又は２記載のファーストカーペット。
【請求項５】
多数のズレ防止用突起を裏面に設けたフロアマットをファーストカーペット上に載置したときの前記フロアマットのズレを防止する構造であって、前記ファーストカーペットにおける基布にカット形態のパイルと前記カット形態のパイルよりも低いループ形態のパイルとをタフトし、前記ループ形態のパイルをカット形態のパイル間に埋没させると共に、前記フロアマット裏面のズレ防止用突起の先端を鉤形として、前記ズレ防止用突起がループ形態のパイルに引っ掛かり易くしたことを特徴とするフロアマットのズレ防止構造。
【発明の詳細な説明】
【技術分野】
【０００１】
本発明は、住宅、オフィス、ホテルなどの建物の床面、或いは自動車や鉄道、船舶、飛行機などの車両の床面に敷設されるパイルカーペット及びフロアマットのズレ防止構造に関する。詳細には、フロアマットのズレを確実に防止することができるファーストカーペット及びフロアマットのズレ防止構造に関する。
【背景技術】
【０００２】
従来より、建物や車両の床面にはカット形態のパイルが所定のボリュームとなるように基布にタフトされたファーストカーペットが敷設されている。このファーストカーペットにおいては、基布上面にタフトされたカット形態のパイルのカット端面の太さや形状、色によって、意匠性に富み、かつ柔らかで高級感のある表面模様が造り出されていた。
【０００３】
このファーストカーペットは、一般に床面全面にそのままで或いは接着剤などを介して敷設されるため、埃やゴミなどで汚れた場合でも、簡単に取り外して清掃することができない。このため、例えば建物の汚れやすい玄関やエレベータホールの部分、或いは車両室内には、埃やゴミが直接パイルカーペットに付かないようにするため、ファーストカーペット上面に取り外し自在なフロアマットが載置される。
【０００４】
上記の如く、ファーストカーペット上面は、カット形態のパイルのカット端面によって構成されているために滑りやすくなっている。このため、この上面に載置されるフロアマットはズレやすく、特に車両床面に載置されるフロアマットの場合には、そのズレが交通事故にも繋がる可能性があるため、従来よりそのズレ防止対策がなされていた。
【０００５】
図５に示すフロアマット１の場合、マット裏面に多数のズレ防止用突起２が設けられていて、この突起２がファーストカーペットのタフトされたカット形態のパイル間に入り込み、これにより、当該フロアマットのズレを防止するようになっていた（特許文献１の図３参照）。
【０００６】
また、図６に示す別のフロアマット５の場合、マット５縁部に貫通孔６が設けられていて、この貫通孔６に床面に突設されたフック７を引っかけることで、当該マット５のズレ防止性を高めていた（例えば特許文献２の図３参照）。
【特許文献１】特開２００２−２３８７３０号公報
【特許文献２】実開平５−４６９１４５号公報
【発明の開示】
【発明が解決しようとする課題】
【０００７】
しかし、ファーストカーペット表面はカット形態のパイルのカット端面によって構成されているために滑りやすく、マット裏面のズレ防止用突起やフックの引っ掛けだけでは、マットに加わる力の大きさや方向によっては左右や斜めにズレたりすることがあり、当該フロアマットのズレを確実に防止することができなかった。
【０００８】
本発明は、このような事情に鑑みなされたものであり、フロアマットのズレを確実に防止することができるファーストカーペット及びフロアマットのズレ防止構造を提供することを目的とするものである。
【課題を解決するための手段】
【０００９】
上記目的を達成するため、請求項１記載の発明は、多数のズレ防止用突起を裏面に設けたフロアマットが載置されるファーストカーペットであって、カット形態のパイルと前記カット形態のパイルよりも低いループ形態のパイルとが基布にタフトされており、前記ループ形態のパイルがカット形態のパイル間に埋没していることを特徴とするファーストカーペットをその要旨とした。
【００１０】
請求項２記載の発明は、ループ形態のパイルがカット形態のパイルに比べて細く強力な糸からなることを特徴とする請求項１記載のファーストカーペットをその要旨とした。
【００１１】
請求項３記載の発明は、ループ形態のパイルを構成する糸がポリアミド、ポリエステル、ポリエチレン、ポリプロピレン、ポリビニルアルコール、及びポリアラミドから選ばれる１種若しくは２種以上の繊維群からなることを特徴とする請求項２記載のファーストカーペットをその要旨とした。
【００１２】
請求項４記載の発明は、カット形態のパイルを構成する糸の繊度が１８００〜４０００デシテックスであるのに対し、ループ形態のパイルを構成する糸の繊度が７００〜１０００デシテックスであることを特徴とする請求項１又は２記載のファーストカーペット。
【００１３】
請求項５記載の発明は、多数のズレ防止用突起を裏面に設けたフロアマットをファーストカーペット上に載置したときの前記フロアマットのズレを防止する構造であって、前記ファーストカーペットにおける基布にカット形態のパイルと前記カット形態のパイルよりも低いループ形態のパイルとをタフトし、前記ループ形態のパイルをカット形態のパイル間に埋没させると共に、前記フロアマット裏面のズレ防止用突起の先端を鉤形として、前記ズレ防止用突起がループ形態のパイルに引っ掛かり易くしたことを特徴とするフロアマットのズレ防止構造をその要旨とした。
【発明の効果】
【００１４】
本発明のパイルカーペットにあっては、カット形態のパイルと共に基布にタフトされたループ形態のパイルが、当該カーペット上面に載置されたフロアマットのズレ防止用突起を捉えて、当該フロアマットのズレを確実に防止することができる。また、このカーペットにあっては、ループ形態のパイルがカット形態のパイル間に埋没するように基布にタフトされているため、当該パイルカーペット表面の意匠性、柔らかさ、高級感を損なうこともない。
【発明を実施するための最良の形態】
【００１５】
以下、本発明のファーストカーペット（以下、カーペットという）を図面に示した一実施の形態に従って詳細に説明する。図１及び図２に示すカーペット１１は、基布１２の裏面側にバッキング１３を設けたものである。
【００１６】
基布１２としては、例えば不織布、織物、編物、紙、フェルトあるいはこれらの１種若しくは２種以上を組み合わせた複合体を挙げることができる。尚、基布１２の素材や構造は、特に限定されず、当該フロアマットの用途や使用状態を考慮して適宜決定すればよい。
【００１７】
この基布１２にはカット形態のパイル１４ａとループ形態のパイル１４ｂとが基布１２にタフトされている。カット形態のパイル１４ａは、ポリエチレン、ポリプロピレン、ポリエステルなどの合成繊維、綿、羊毛などの天然繊維、レーヨンなどの半合成繊維を単独で、若しくは複数種組み合わせて混紡し、撚糸して所定の太さ（例えば１８００〜４０００デシテックス程度）にした糸からなり、この糸を基布１２に所定のボリューム（１インチ間に５〜１０本の割合）となるようにタフトして、上方のループ部分をカットしたものであり、このカット形態のパイル１４ａの端面の形状、数及び色によって、カーペット１１表面に意匠性に富み、かつ柔らかで高級感のある模様が造り出されるようになっている。
【００１８】
一方、ループ形態のパイル１４ｂは、カット形態のパイル１４ａに比べて細く強力な糸、具体的にはポリアミド、ポリエステル、ポリエチレン、ポリプロピレン、ポリビニルアルコール、及びポリアラミドから選ばれる１種若しくは２種以上の繊維束を加撚して７００〜１０００デシテックスの太さにした糸からなり、この糸を例えばカット形態のパイル１４ａを構成する１本の糸に対して１本、カット形態のパイル１４ａを構成する２本の糸に対して１本、乃至はカット形態のパイル１４ａを構成する５本の糸に対して１本といった割合で配置すると共に、カット形態のパイル１４ａの根元部分の高さとなるようにタフトするのである。このようにタフトすることでループ形態のパイル１４ｂはカット形態のパイル１４ａ間に埋没し、当該カーペット１１表面は、カット形態のパイル１４ａ端面によって構成され、カット形態のパイル１４ａ端面の形状、数及び色によって意匠性に富み、かつ柔らかで高級感のある表面模様が造り出されることになる。
【００１９】
上記基布１２の裏面側には接着剤層１５が形成されている。この接着剤層１５は、例えばウレタン系湿気硬化型接着剤やホットメルト接着剤などからなり、前記基布１２の裏面側でタフトされた２種のカット形態のパイル１４ａ及びループ形態のパイル１４ｂの抜けを止めるようになっている。尚、接着剤層１６には、例えば蜘蛛の巣状接着剤からなり、接着時の熱およびまたは圧力で薄膜化されて成るものを使用することもできる。
【００２０】
この接着剤層１６を介して基布１２の裏面側にバッキング１３が設けられている。バッキング層１３は、当該フロアマット１１の補強および保形、或いはズレ止めを目的として形成されている。
【００２１】
バッキング１３としては繊維層や樹脂層を採用することができる。繊維層からなるバッキング１３には、例えば不織布、フェルト、織物、或いは編物、或いはこれらの２種以上を組み合わせた複合シートからなるものを使用することができる。図示の例ではフェルトからなるバッキング１３を採用している。
【００２２】
一方、樹脂層からなるバッキングには、例えばスチレンーブタンジエンースチレン共重合体、アクリルニトリルーブタジエン系共重合体、ウレタン樹脂等の高分子、スチレンーブタンジエンゴム、アクリルニトリルーブタンジエンゴム、ブタンジエンゴム、天然ゴム、イソプレンゴム等のゴム高分子、またはこれらを複数種混合した混合物などからなるものを用いることができる。
【００２３】
また、樹脂層からなるバッキングの場合、層を構成する樹脂に発泡剤を加えて軽量化を計ることもできる。発泡剤としては、例えば脂肪酸石けん、アルキルアリルスルホン酸ナトリウム、高級アルコール硫酸エステルナトリウム、Ｎーオクタデシルスルホコハク酸モノアミドジナトリウムなどを挙げることができる。
【００２４】
また、樹脂には必要に応じて、ポリアクリル酸ソーダ、カルボキシメチルセルローズ、タルク、水酸化アルミニウム、酸化アンチモンなどの充填剤、ポリアクリル酸ソーダ、カルボキシメチルセルローズ、ポリビニルアルコール、カゼイン、発酵多糖類などの増粘剤、トリポリリン酸ソーダ、ヘキサメタリン酸ソーダなどの分散剤を加えてもよい。
【００２５】
図２に示すように、上記の如く構成されるカーペット１１上面にフロアマット２１を載置する。図２に示すように、フロアマット２１は、基布２２にカット形態のパイル２４を所定のボリュームとなるようにタフトしたものであり、当該マット２１裏面には多数のズレ防止用突起２５を有するバッキング２３が設けられている。
【００２６】
そして、このフロアマット２１がカーペット１１上に載置されたとき、フロアマット２１裏面のバッキング２３に形成した多数のズレ防止用突起２５が、カーペット１１表面のカット形態のパイル１４ａ間に入り込むことになる。
【００２７】
この状態で図３中矢印方向に外力が加わったとき、フロアマット２１裏面のバッキング２３に形成した多数のズレ防止用突起２５が、カーペット１１表面のカット形態のパイル１４ａ間深くに入り込み、カット形態のパイル１４ａ間に埋没しているループ形態のパイル１４ｂに引っかかり、当該フロアマット２１のズレを確実に防止することになる。
【００２８】
図４は、上術のカーペット１１上に多数のズレ防止用突起２５を裏面に設けたフロアマット２１を載置したときのフロアマット２１のズレを防止する構造を示すものである。図４に示すように、カーペット１１における基布１２には、カット形態のパイル１４ａと前記カット形態のパイル１４ａよりも低いループ形態のパイル１４ｂとがタフトされており、ループ形態のパイル１４ｂがカット形態のパイル１４ａ間に埋没した状態となっている。また、このカーペットに載置されるフロアマット２１の裏面にはズレ防止用突起２５が形成されている。フロアマット２１裏面のズレ防止用突起２５の先端は鉤形となっており、
当該フロアマット２１をカーペット１１上に載置し、この状態で図３中矢印方向に外力が加わったとき、鉤形に設けたズレ防止用突起２５の先端がループ形態のパイル１４ｂに引っ掛かり、フロアマット２１のズレを防止するようになっている。このズレ防止構造によれば、フロアマット２１のズレ防止用突起２５の先端が鉤形となっているため、カーペット１１のループ形態のパイル１４ｂに引っ掛かり易く、当該フロアマット２１のズレがより確実に防止できるようになっている。
【００２９】
尚、本発明の範囲は、「特許請求の範囲」に定義されたとおりのものであり、例えばフロアマット裏面のバッキングに貫通孔を形成して吸音性を高めるなど、「特許請求の範囲」の範囲内で自由に変更することができる。
【図面の簡単な説明】
【００３０】
【図１】本発明のカーペットを示す要部拡大断面図。
【図２】本発明のカーペット上にフロアマットを載置した状態を示す要部拡大断面図。
【図３】本発明のカーペット上にフロアマットを載置した状態でフロアマットに外力が加わった状態を示す要部拡大断面図。
【図４】本発明のフロアマットのズレ防止構造を示す要部拡大断面図。
【図５】従来のフロアマットのズレ防止構造を示す要部拡大断面図。
【図６】従来のフロアマットのズレ防止構造を示す斜視図。
【符号の説明】
【００３１】
１２  ・・・基布
１３  ・・・バッキング
１４ａ・・・カット形態のパイル
１４ｂ・・・ループ形態のパイル
２１  ・・・フロアマット
２５  ・・・ズレ防止用突起
【図１】
2006014847.tif 000003
【図２】
2006014847.tif 000004
【図３】
2006014847.tif 000005
【図４】
2006014847.tif 000006
【図５】
2006014847.tif 000007
【図６】
2006014847.tif 000008